(57)【要約】【課題】カバーの内部やカバーとパネルとの間に水が溜まることを防止することにより汚れを生じにくくするとともに、デザイン性に優れた照明装置のカバー構造を提供すること。【解決手段】浴室１０の右壁面パネル１４にミラーパネル２１を設けるとともに、右壁面パネル１４におけるミラーパネル２１の上方に照明装置２４を設け、照明装置２４の周囲をカバー２５で被覆した。そして、カバー２５の下面部２６の上面２６ａを、カバー２５内に溜まる水を右壁面パネル１４側に流すための傾斜面に形成した。また、ミラーパネル２１の上端面２１ａとカバー２５の下端面２５ａとの間に、下面部２６の上面２６ａと連通する排水用の小隙間２８を形成した。さらに、ミラーパネル２１の上端面２１ａとカバー２５の下端面２５ａとを略平行に配置した。【選択図】  図３
2005032519.tif 000002
【特許請求の範囲】
【請求項１】
壁面に設けられたパネルと、前記壁面におけるパネルの上方に設けられた照明装置と、前記照明装置を被覆した状態で前記壁面に設けられ、前記パネルの上端面との間に排水用の小隙間を形成するように下面が配置された下面部を備え、前記下面部の上面に、内部に溜まる水を前記壁面側に流すための傾斜部が前記小隙間と連通して形成されたカバーとを備えたことを特徴とする照明装置のカバー構造。
【請求項２】
前記パネルの上端面および前記カバーの下面部の下面を、前記壁面側が高く表面側が低くなった傾斜面に形成した請求項１に記載の照明装置のカバー構造。
【請求項３】
前記カバーの傾斜部を、前記下面部の上面の全体を傾斜面に形成することにより構成した請求項１または２に記載の照明装置のカバー構造。
【請求項４】
前記カバーの下面部を中空構造にすることにより、前記カバー全体の肉厚を略均一にした請求項１ないし３のうちのいずれか一つに記載の照明装置のカバー構造。
【請求項５】
浴室内の壁面に設けられた請求項１ないし４のうちのいずれか一つに記載の照明装置のカバー構造。
【発明の詳細な説明】
【０００１】
【発明の属する技術分野】
本発明は、パネルが取り付けられた壁面におけるパネルの上方に設けられる照明装置のカバー構造に関する。
【０００２】
【従来の技術】
従来から、室内の壁面を構成する壁面パネルに照明装置を取り付けることが行われており、このような照明装置の中に、浴室に設けられたミラーパネルや収容パネルの上方に取り付けられたものがある（例えば、特許文献１参照）。この照明装置は、壁面パネルにおけるミラーパネルの上方に取り付けられ、周囲を壁面パネルに取り付けられた透光性のカバーによって被覆されている。
【０００３】
【特許文献１】
特開２００１−３５２４５号公報
【０００４】
【発明が解決しようとする課題】
しかしながら、従来の照明装置を、浴室、シャワー室および洗面所などの水を使用する場所や結露が生じやすい場所に取り付けた場合には、照明装置を被覆するカバーの内部に水が溜まることがある。これによって、照明装置の照明効果に支障がでたり、カバーの内面に汚れが生じやすくなったりするという問題がある。また、ミラーパネルとカバーとの間に水が溜まり汚れが生じやすいという問題もある。
【０００５】
このような問題を解決するために、カバーの下面部を壁面パネル側が下方になるように傾斜させてカバーの内部に水が溜まらないようにするとともに、ミラーパネルとカバーとの間の隙間を表面側が広くなるように形成することもできる。しかしながら、これによると、ミラーパネルとカバーとの間の隙間が大きくなりすぎて外観が悪くなりデザイン上好ましくないという問題がある。
【０００６】
【発明の概要】
本発明は、上記問題に対処するためになされたもので、その目的は、カバーの内部やカバーとパネルとの間に水が溜まることを防止することにより汚れを生じにくくするとともに、デザイン性に優れた照明装置のカバー構造を提供することである。
【０００７】
上記の目的を達成するため、本発明にかかる照明装置のカバー構造の特徴は、壁面に設けられたパネルと、壁面におけるパネルの上方に設けられた照明装置と、照明装置を被覆した状態で壁面に設けられ、パネルの上端面との間に排水用の小隙間を形成するように下面が配置された下面部を備え、下面部の上面に、内部に溜まる水を壁面側に流すための傾斜部が小隙間と連通して形成されたカバーとを備えたことにある。
【０００８】
このように構成した本発明の照明装置のカバー構造では、カバーの下面部の上面（内面）に、カバー内に溜まる水を壁面側に流すための傾斜部が形成されている。したがって、カバー内に浸入した水やカバー内で発生した結露は、傾斜部に沿って壁面側に流れて行く。また、壁面に設けられたパネルの上端面とカバーの下端面（下面部の下面）との間には排水用の小隙間が設けられており、この小隙間と傾斜部とが連通している。このため、カバー内部から傾斜部によって壁面側に流れた水は小隙間を通ってパネルとカバーとの間から外部に排出される。
【０００９】
この結果、カバー内やパネルとカバーの間に汚れが生じ難くなるとともに、カバー内に溜まる水や汚れによって照明装置の照明効果に支障が生じることが防止される。また、パネルの上端面とカバーの下端面との間の隙間は小さな小隙間であるため、美観を損ねることなく、デザイン的にも優れたものとなる。この場合、パネルの上端面とカバーの下端面とは略平行にすることが好ましい。また、カバーの下面部の上面の傾斜部の傾斜は、水平方向の長さ（壁面側と表面側との間の長さ）に対する垂直方向の長さの比を略５０対１に設定することが好ましい。これによると、例えば、カバーを樹脂材料の成形品で構成する場合に、成形上好ましい勾配に形成することができ、また、水を流すための作用も良好に発揮できる。
【００１０】
また、本発明にかかる照明装置のカバー構造の他の構成上の特徴は、パネルの上端面およびカバーの下面部の下面を、壁面側が高く表面側が低くなった傾斜面に形成したことにある。これによると、カバーの内部から壁面側に流れた水は、パネルの上端面に沿ってパネルの表面側に流れる。したがって、カバー内から流れ出た水によって汚れが生じても、その汚れはパネルの表面に表れるため簡単に清掃して除去することができる。このため、照明装置のカバー構造を清潔な状態に維持でき、良好な照明効果を奏する。
【００１１】
また、本発明にかかる照明装置のカバー構造のさらに他の構成上の特徴は、カバーの傾斜部を、下面部の上面の全体を傾斜面に形成することにより構成したことにある。これによると、傾斜部として、特に、溝部や穴部を設ける必要がなくなるため、カバーの製造が容易になる。
【００１２】
また、本発明にかかる照明装置のカバー構造のさらに他の構成上の特徴は、カバーの下面部を中空構造にすることにより、カバー全体の肉厚を略均一にしたことにある。これによると、カバーを樹脂材料の成形品で構成した場合に、下面部に傾斜部を設けたために厚肉部に形成された部分に収縮による凹みが生じることを防止できる。また、中空部を設けることにより材料の節減が可能になり低コスト化が図れる。
【００１３】
また、本発明にかかる照明装置のカバー構造のさらに他の構成上の特徴は、照明装置のカバー構造を浴室内の壁面に設けたことにある。この照明装置のカバー構造は、このように、特にカバー内に水の浸入や結露の発生が生じやすい浴室内で用いることにより、より大きな効果を奏し得る。
【００１４】
【発明の実施の形態】
以下、本発明の一実施形態を図面を用いて説明する。図１は同実施形態に係る照明装置のカバー構造２０を備えた浴室１０を示している。この浴室１０では、浴室１０内と屋外とを仕切る外側壁面パネル１１に窓１１ａが設けられており、床面部１２における窓１１ａ側部分に浴槽１３が設置されている。そして、浴槽１３の左右（図１では前後）の側面は、左壁面パネル（図示せず）と本発明の壁面としての右壁面パネル１４とで挟まれている。また、外側壁面パネル１１に対向する部分には、出入用扉（図示せず）を有する内側壁面パネル１５が設けられ、天井部はドーム状の天井パネル１６で構成されている。
【００１５】
また、床面部１２における右壁面パネル１４に沿った浴槽１３に隣接する部分にカウンター１７が設けられ、右壁面パネル１４におけるカウンター１７の上方部分に本発明のパネルとしてのミラーパネル２１が設けられている。ミラーパネル２１の表面は、図２に示すように、幅方向の中央部がやや後方に引っ込んだ湾曲状に形成されており、その中央部よりもやや浴槽１２に近い部分に縦長の四角形のミラー２２が取り付けられている。
【００１６】
そして、ミラーパネル２１におけるミラー２２の右側部分（ミラーパネル２１を正面から見た場合の右側）には、三段に構成された棚部２３が上下方向に一定間隔で設けられている。この棚部２３は、ミラーパネル２１の表面側に凹部を設けることによって形成され、シャンプーや石鹸等の入浴用具や洗面用具を置くことができる。また、右壁面パネル１４におけるミラーパネル２１の上方には、浴室１０内を明るく照明するためのランプからなる照明装置２４が設けられ、照明装置２４の周囲をカバー２５が被覆している。
【００１７】
このカバー２５は、透光性を有するアクリル樹脂材料を射出成形することにより箱状に形成されており、図３に示すように、右壁面パネル１４に取り付けられたミラーパネル２１の上方に取り付けられている。すなわち、ミラーパネル２１の上端面２１ａは、裏面側（右壁面パネル１４側）が高く、表面側が低くなった傾斜面に形成され、カバー２５は、下端面２５ａをミラーパネル２１の上端面２１ａに対して略平行になるようにして取り付けられている。
【００１８】
また、カバー２５の下面部２６は、右壁面パネル１４側が薄肉で、表面側が厚肉に形成され、その上面２６ａは、右壁面パネル１４側が下方になる傾斜面に形成されている。そして、下面部２６の後端部と右壁面パネル１４との間には、水を通すための隙間２７が形成されている。この隙間２７は、ミラーパネル２１の上端面２１ａとカバー２５の下端面２５ａとの間に形成された排水用の小隙間２８に連通している。
【００１９】
上面２６ａおよび上端面２１ａの傾斜は、それぞれ前後の水平方向の長さに対する垂直方向の長さ（最下部と最上部との間の長さ）の比が略５０対１になるように設定されている。また、小隙間２８の高さ方向の幅は、隙間２７に流れてきた水をミラーパネル２１の表面部に流すことのできる大きさ（例えば、    ｍｍ）に設定されている。そして、カバー２５の上端面２５ｂは、下端面２５ａと平行する傾斜面に形成され、上端面２５ｂに溜まる水はカバー２５の表面に向って流れるように構成されている。
【００２０】
これらの浴室１０を構成する右壁面パネル１４等の各パネル、床面部１２、浴槽１３およびミラーパネル２１等の各部分の本体部分は、それぞれ樹脂の成形体で構成されている。また、浴槽１３の上面部１３ａにおけるカウンター１７側の角部には、浴槽１３内に湯や水を取り出すための水栓１８が設けられ、カウンター１７の上方のミラーパネル２１におけるミラー２２の下方には、カウンター１７で使う湯や水を取り出すための水栓１９が設けられている。
【００２１】
この構成において、入浴者が浴室１０内で入浴する際には、照明装置２４を点灯して浴室１０内を明るくする。そして、浴槽１３内に湯を溜める場合には、水栓１８から適温に調節した湯を取り出す。また、体を洗浄したり洗髪したりする場合には、床面部１２におけるカウンター１７の手前に洗い椅子（図示せず）を置いて腰掛け、水栓１９から湯や水を取り出して体や頭髪を洗う。この場合、棚部２３に置いてある石鹸やシャンプー等の入浴用具や洗面用具を使用し、ひげを剃る際には、ミラー２２を見ながら行う。
【００２２】
その間、浴室１０内の湯が湯気となって浴室１０内を上昇してカバー２５内に浸入し、カバー２５内で水となって溜まった場合には、その水は、カバー２５の下面部２６における上面２６ａに沿って隙間２７側に流れる。そして、その水は隙間２７から小隙間２８に入り、小隙間２８を通過してミラーパネル２１の表面に沿って下方に向って流れて行く。また、上昇した湯気がカバー２５の上端面２５ｂに溜まって水となった場合には、その水は、上端面２５ｂに沿ってカバー２５の表面側に流れる。そして、カバー２５の表面に沿って下方に流れ、カバー２５の表面からミラーパネル２１の表面に沿って下方に流れていく。
【００２３】
このように、この照明装置のカバー構造２０では、カバー２５内に浸入した水が内部に溜まることなく、隙間２７と小隙間２８とを通ってミラーパネル２１の表面側に排出される。このため、カバー２５内や小隙間２８を構成するミラーパネル２１の上端面２１ａとカバー２５の下端面２５ａに汚れが生じ難くなる。これによって、カバー２５内に溜まった水や汚れによって照明装置２４の照明に支障が生じることがなくなる。
【００２４】
また、小隙間２８は小さな隙間であるため、照明装置のカバー構造２０を正面から見た場合の美観を損ねることがなく、デザイン的にも優れたものとなる。また、照明装置のカバー構造２０の清掃作業は、ミラーパネル２１およびカバー２５の表面を拭く作業だけで済むため極めて容易になる。さらに、この照明装置のカバー構造２０は、カバー２５内に水の浸入や結露の発生が生じやすい浴室１０内で用いられているため、より大きな効果を発揮できる。
【００２５】
また、図４は本発明の他の実施形態にかかる照明装置のカバー構造３０を示している。この照明装置のカバー構造３０では、カバー３５の下面部３６が、内部に空間部３６ａが形成された中空体で構成されている。そして、カバー３５は、両端部にそれぞれ側面部（図示せず）を取り付けることにより箱状に形成されている。この照明装置のカバー構造３０のそれ以外の部分の構成については、前述した実施形態による照明装置のカバー構造２０と同一である。したがって、同一部分に同一符号を記している。
【００２６】
このカバー３５は、押し出し成形によって成形することができ、これによるとカバー３５を構成する各部分の肉厚を略均一にすることができる。その結果、カバー３５を成形した後の材料固化の際に、下面部３６に収縮による凹みが生じることを防止できる。また、空間部３６ａを設けることにより使用する材料が減少して低コスト化が図れる。この照明装置のカバー構造３０のそれ以外の作用効果については、前述した実施形態による照明装置のカバー構造２０と同様である。
【００２７】
また、本発明による照明装置のカバー構造は、前述した実施形態以外についても技術的範囲内で適宜変更実施が可能である。例えば、前述した実施形態では、ミラーパネル２１の上端面２１ａを傾斜面に形成しているが、この上端面２１ａを水平面に形成することもできる。これによると、使用目的に応じて、ミラーパネル２１の上下を反転させて使用することができる。例えば、ミラー２２と棚部２３との左右の位置を逆にすることができる。
【００２８】
また、前述した実施形態では、カバー２５等の傾斜部を傾斜面からなる上面２６ａで構成しているが、これに代えて、水を流すための溝部を設けることもできる。さらに、隙間２７に代えて、下面部２６等に穴部を設けることもできる。また、上面２６ａの左右方向の中心部を高く両端を低くすることもできる。さらに、カバー２５等を構成する材料としては、アクリル樹脂の外、ポリカーボネイドやポリスチロール等の樹脂材料を用いることができる。また、前述した実施形態では、照明装置のカバー構造２０等を浴室１０で使用しているが、本発明にかかる照明装置のカバー構造は、浴室に限らず、シャワールーム、洗面所等の湯や水を使用する種々の衛生設備で使用することができる。
【図面の簡単な説明】
【図１】本発明の一実施形態による照明装置のカバー構造を備えた浴室を示す斜視図である。
【図２】図１に示した浴室が備える照明装置のカバー構造を示す斜視図である。
【図３】照明装置のカバー構造の要部を示す断面図である。
【図４】本発明の他の実施形態による照明装置のカバー構造の要部を示す断面図である。
【符号の説明】
１０…浴室、１４…右壁面パネル、２０，３０…照明装置のカバー構造、２１…ミラーパネル、２１ａ…上端面、２４…照明装置、２５，３５…カバー、２５ａ…下端面、２６ａ…上面、２６，３６…下面部、２７…隙間、２８…小隙間、３６ａ…空間部。
【図１】
2005032519.tif 000003
【図２】
2005032519.tif 000004
【図３】
2005032519.tif 000005
【図４】
2005032519.tif 000006